(57)【特許請求の範囲】
【請求項１】
処理および自動化技術向けの測定デバイスのためのディスプレイユニットであって、矩形かつ非正方形のグラフィックディスプレイ（３）を含み、このグラフィックディスプレイ（３）上には、前記測定デバイス（１）の様々な測定データおよび／または様々なパラメータデータを表示することができ、
前記ディスプレイ（３）に表示される画像が前記ディスプレイに対して９０°単位で回転することができ、これにより、鉛直方向平面内における前記ディスプレイユニット（２）の回転にかかわらず、前記表示される測定データおよび／またはパラメータデータを、常に水平方向の向きとすることができ、
前記ディスプレイ（３）に表示される画像は、正方形をなす少なくとも２つのサブ領域（４ａ、４ｂ）を有し、前記正方形をなすサブ領域（４ａ、４ｂ）は、互いに独立に回転することができる、ディスプレイユニット。
【請求項２】
前記サブ領域（４ａ、４ｂ）の２つの辺の長さの合計が、前記矩形のディスプレイ（３）の幅に対応している、請求項１に記載のディスプレイユニット。
【請求項３】
前記ディスプレイは、１６：９という画面比率を有している、請求項１または２に記載のディスプレイユニット。
【請求項４】
少なくとも１つのボタンという態様の操作ユニット（５）が設けられ、
前記ディスプレイ（３）は、前記少なくとも１つのボタンに関連するとともに前記少なくとも１つのボタンの機能を表示する領域（６）を有している、請求項１〜３のいずれか一項に記載のディスプレイユニット。
【請求項５】
処理および自動化技術向けの測定デバイスであって、矩形かつ非正方形のグラフィックディスプレイ（３）を有したディスプレイユニット（２）を含み、前記グラフィックディスプレイ（３）上には、前記測定デバイス（１）の様々な測定データおよび／または様々なパラメータデータを表示することができ、
前記ディスプレイ（３）に表示される画像が前記ディスプレイに対して９０°単位で回転することができ、これにより、前記測定デバイス（１）の設置位置にかかわらず、前記表示される測定データおよび／またはパラメータデータを、常に水平方向の向きとすることができ、
前記ディスプレイ（３）に表示される画像は、正方形をなす少なくとも２つのサブ領域（４ａ、４ｂ）を有し、前記正方形をなすサブ領域（４ａ、４ｂ）は、互いに独立に回転することができる、測定デバイス。
【請求項６】
前記サブ領域（４ａ、４ｂ）の２つの辺の長さの合計が、前記矩形のディスプレイ（３）の幅に対応している、請求項５に記載の測定デバイス。
【請求項７】
前記ディスプレイユニット（２）は、前記測定デバイス（１）に対して、堅固にかつ回転不可能に連結されている、請求項５または６に記載の測定デバイス。
【請求項８】
前記ディスプレイ（３）は、１６：９という画面比率を有している、請求項５〜７のいずれか一項に記載の測定デバイス。
【請求項９】
前記ディスプレイユニット（２）は、少なくとも１つのボタンという態様の操作ユニット（５）を含み、
前記ディスプレイ（３）は、前記少なくとも１つのボタンに関連するとともに前記少なくとも１つのボタンの機能を表示する領域（６）を有している、請求項５〜８のいずれか一項に記載の測定デバイス。
【発明の詳細な説明】
【技術分野】
【０００１】
本発明は、処理および自動化技術向けの測定デバイスのためのディスプレイユニットに関し、また、このタイプのディスプレイユニットを備えた測定デバイスに関する。
【背景技術】
【０００２】
自動化および処理技術においては、センサあるいは測定デバイスが頻繁に使用され、このようなセンサあるいは測定デバイスは、例えば圧力、温度、流速といったような、さらには距離あるいは振動といったような、取得された測定値を、アナログあるいはデジタルの電流信号あるいは電圧信号という態様で、この測定値を表す出力信号へと変換するとともに、この信号を、ケーブル接続あるいはプラグ接続された相手先に対して提供する。しかしながら、場合によっては、センサあるいは測定デバイスは、その信号を、例えばＰＬＣといったような、より高レベルの制御ユニットに対しても、ワイヤレスで提供する。
【０００３】
典型的な測定デバイスは、まず最初に、測定値レコーダとも称されるセンサ部材からなり、このようなセンサ部材は、処理値の物理的測定変数を検出するように機能するとともに、それを測定信号へと変換するように機能する。さらに、評価ユニットが設けられ、この評価ユニットは、多くの場合、マイクロコントローラとして構成され、その内部において、センサ部材によって生成された信号が調整され、すなわち増幅され、一般に、処理待ち状態ともされる。評価ユニットは、その出力端のところにおいて、通信インターフェースに対して接続され、この通信インターフェースを介して、調整された測定信号を、上述した制御ユニットに対して送信することができる。測定デバイスは、多くの場合、さらに、ディスプレイユニットを含んでおり、このディスプレイユニット上に、とりわけ、現在の測定値が表示される。さらに、ディスプレイユニットは、多くの場合、また、測定デバイスの設定のためにもまた測定デバイスのパラメータ化のためにも機能する。この目的のために、測定デバイスは、追加的に、対応する入力オプションを有している。
【０００４】
ディスプレイユニットに関しては、長年にわたって、セグメントディスプレイが知られており、このようなセグメントディスプレイにより、数字および文字を、グラフィック的に単純な態様で表示することができる。さらに、今日においては、例えば液晶（ＬＣＤｓ）あるいは発光ダイオード（ＬＥＤｓ）をベースとしたものといったようなグラフィックディスプレイも存在し、このようなグラフィックディスプレイ上においては、グラフィックインターフェースの解像度に依存して、数字、文字、および記号の高度な表示さえもが可能であり、場合によっては、複数色での表示も可能である。
【０００５】
他方、様々な用途において、ディスプレイを常に容易に読み取り得ることが要望されており、そのため、ディスプレイは、測定デバイスの設置状況にかかわらず、常に水平方向に向けられる。グラフィックディスプレイの場合には、ディスプレイユニットの全体を機械的に回転させることに代えて、表示の向きだけを単に変更することができる、すなわち、ディスプレイ自体の向きだけを単に変更することができる。機械的な回転に代えてのこの態様は、対応するソフトウェアによって達成される。
【発明の概要】
【発明が解決しようとする課題】
【０００６】
正方形をなすディスプレイウィンドウの場合には、このことは大きな問題ではない。なぜなら、９０°単位での回転時に、ディスプレイ自体を知覚することに関して何の変化もないからである。しかしながら、矩形かつ非正方形の構成の場合には、例えば１６：９フォーマットの場合には、高さおよび幅の転置のために、元々は幅全体を使用して横長式に表示されていた表示データが今度は縦長式に表示されるのであれば、そのような回転は、表示の著しい変更をもたらしてしまう。
【０００７】
したがって、本発明の目的は、上記のタイプの測定デバイスのためのグラフィックディスプレイ上における表示を容易とすることであり、また、そのような表示を、非正方形の構成においても回転可能とすることであり、そのような非正方形の構成であってもなお、そのような表示を、単純にかつ完全に読み取り可能とすることである。
【０００８】
この目的は、本発明に基づき、請求項１に記載の特徴点を備えたディスプレイユニットによって、また、請求項５に記載の特徴点を備えた測定デバイスによって、達成される。本発明の様々な有利な実施形態が、従属請求項に規定されている。
【課題を解決するための手段】
【０００９】
本発明によれば、非正方形をなすディスプレイユニットの場合に、測定デバイスの測定データおよび／またはパラメータデータを、ディスプレイユニットの回転にかかわらず、鉛直方向平面内において水平方向の向きとすることができ、これにより、測定データおよび／またはパラメータデータを、容易にかつ完全に読み取ることができる。ディスプレイに表示される画像が、正方形をなす少なくとも２つのサブ領域を有していることのために、さらに、正方形をなすこれらサブ領域が、互いに独立に回転することができることのために、すなわち、それらサブ領域の各々が、それぞれ自身の回転軸線を有していることのために、正方形をなす２つのサブ領域は、ディスプレイユニットが水平方向の向きとされている場合には互いに横並びに配置されることができるとともに、ディスプレイユニットが鉛直方向の向きとされている場合には互いに上下に配置されることができる。この場合、サブ領域自身の内部における表示は、正方形という形状に基づき高さと幅とが同じであることのために、回転後においてさえ不変のままである。
【００１０】
正方形をなすサブ領域の２つの辺の長さの合計は、有利には、矩形のディスプレイの幅に対応しており、これにより、ディスプレイの表面の全体が、それら２つの正方形によって充填され、したがって、ディスプレイの表面の全体を、十分に利用することができる。
【００１１】
そのようなディスプレイユニットを備えた測定デバイスの場合には、測定デバイスの設置位置にかかわらず、ディスプレイを常に水平方向の向きとすることができ、これにより、水平方向の位置合わせに基づきおよび表示が歪曲していないことに基づき、容易に読取を行うことができる。
【００１２】
有利な実施形態においては、ディスプレイユニットは、実際の測定デバイスに対して、堅固にかつ回転不可能に連結されており、このため、例えばシールのための出費といったような大きな出費を行う必要がなく、それでもなお、表示される値の良好な読みやすさを達成することができる。
【００１３】
本発明につき、添付図面を参照しつつ、様々な実施形態に基づいて、以下においてより詳細に説明する。
【図面の簡単な説明】
【００１４】
略図中、
【図１】図１は、処理および自動化技術向けの測定デバイスを示し、測定デバイスは、ディスプレイユニットを備えるとともに、水平方向の設置位置とされている。
【図２】図２は、鉛直方向の設置位置とされた、図１の測定デバイスを示す。
【発明を実施するための形態】
【００１５】
好ましい実施形態に関する以下の説明においては、同一の参照符号は、同一のまたは同等の構成部材を示している。
【００１６】
図１は、処理および自動化技術向けの、電磁流量計（electromagnetic flow meter, ＥＭＦ）の態様とされた測定デバイス１を示しており、この場合には、測定デバイス１は、水平方向の設置位置で図示されている。ディスプレイユニット２は、実際の測定デバイス１からオフセットして配置されているとともに、液晶（ＬＣＤｓ）あるいは発光ダイオード（ＬＥＤｓ）をベースとした、矩形かつ非正方形のグラフィックディスプレイ３を含んでおり、グラフィックディスプレイ３上には、測定デバイス１の様々な測定データおよび／または様々なパラメータデータが表示されている。ディスプレイ３は、実質的に、正方形をなす２つのサブ領域４ａ、４ｂから構成されており、流速および媒体温度という態様の現在の測定値が、第１領域４ａ内に表示されているとともに、例えばスイッチポイント等といったようなパラメータデータあるいは設定値が、第２領域４ｂ内に表示されている。メニュー操作は、操作ボタン（ここでは図示されていない）を操作することによって、あるいは、ディスプレイがいわゆるタッチスクリーンとして構成されている場合にはディスプレイ表面３をタッチすることによって、のいずれかによって行われる。
【００１７】
図２においては、測定デバイス１は、鉛直方向の設置位置で図示されている。すなわち、ディスプレイユニット２を含む測定デバイス１の全体が、この場合には、水平方向の設置位置に対して９０°だけ回転されている。ディスプレイ３を容易に読み取るためには、表示される測定データおよびパラメータデータは、この場合においても、水平方向を向いているべきである。したがって、正方形をなす２つのサブ領域４ａ、４ｂは、いずれも９０°だけ回転して配置されるとともに、互いに上下に配置されている。この場合の格別の特徴点は、幅と高さとの比率を変更してしまうようなディスプレイ３の全体的な回転が行われないことであり、また、正方形をなす２つのサブ領域４ａ、４ｂへと分割されていることのために、それらサブ領域を互いに独立に回転させ得ることであり、さらに、正方形という構成のために、幅と高さとの比率が維持されることである。
【００１８】
さらに、図２は、例示的な実施形態として２つのボタンの態様とされた上記の操作ユニット５を備えたディスプレイユニット２を示している。２つのボタン５は、測定デバイス１をその場でも操作可能とし得るために、設けられる。ディスプレイ３の内部の狭いウィンドウは、これらのボタン５に関連しており、これらボタン５の機能が、このウィンドウ内に表示される。この場合、それぞれの機能は、メニュー位置の関数として可変なものともすることができる。それぞれの機能は、記号あるいは銘の態様とされた要素によって表示される。測定デバイス１の回転時には、表示される各要素は、正方形をなす２つのサブ領域４ａ、４ｂに対する読取方向内に位置し得るよう、測定デバイス１の回転に応じて回転する。ボタン５と個別の記号の位置との関係性は、不変のままとされる。
【００１９】
その結果、本発明の利点は、また、実際の測定デバイス１に対してディスプレイユニット２を回転可能とする必要がないことにも存在する。実際の測定デバイス１に対してディスプレイユニット２を回転可能とすることは、特に測定デバイス１を衛生的な場所で使用することが想定されている場合には例えばシールが必要となるといったように、多くの場合、多くの出費をもたらしてしまう。
【図１】
0006878674.tif 000002
【図２】
0006878674.tif 000003